(57)【要約】タブレットユニット（１００）（電子機器の一例）は、電子部品を収容するマグネシウム合金製の筐体（１１０）と、筐体（１１０）の前面の少なくとも一部を外部側から覆う樹脂製の側部カバー（１２０）と、側部カバー（１２０）に設けられた貫通孔（１２０ａ）を介して筐体（１１０）に螺合され、頭部（１４０ａ）が側部カバー（１２０）よりも外部側に突出するネジ（１４０）と、を備える。ネジ（１４０）の頭部（１４０ａ）側にネジ部（１４０ｂ）よりも大径の大径部（１４０ｃ）が設けられている。筐体（１１０）の前面に大径部（１４０ｃ）が嵌る大径段下げ部（１１０ｔ）が設けられている。
2018155222.tif 000002
【特許請求の範囲】
【請求項１】
電子部品を収容する金属製の筐体と、
前記筐体の主面の少なくとも一部を外部側から覆う樹脂製のカバーと、
前記カバーに設けられた貫通孔を介して前記筐体に螺合され、頭部が前記カバーよりも外部側に突出するネジと、を備え、
前記ネジの頭部側にネジ部よりも大径の大径部が設けられ、
前記筐体の主面に前記大径部が嵌る大径段下げ部が設けられている、
電子機器。
【請求項２】
前記カバーの前記貫通孔と前記大径部との間にリング状の弾性部材が設けられている、
請求項１に記載の電子機器。
【請求項３】
第１の電子部品を含み、第１の主面を有する第１のユニットと、
第２の電子部品を含み、第２の主面を有する第２のユニットと、
前記第１のユニットと前記第２のユニットとを相対回転可能に支持するヒンジとを備え、
前記第１のユニットと前記第２のユニットとを相対回転させることで、前記第１のユニットの前記第１の主面と前記第２のユニットの前記第２の主面とが対向する閉じられた状態とすることが可能であり、
前記第１のユニットの前記第１の主面及び前記第２のユニットの前記第２の主面に、前記閉じられた状態において互いに嵌合する嵌め合い部が設けられ、
前記第１のユニットと前記第２のユニットとのうちの一方のユニットは、
金属製の筐体と、
前記筐体の主面の少なくとも一部を外部側から覆う樹脂製のカバーと、
前記カバーに設けられた貫通孔を介して前記筐体に螺合され、頭部が前記カバーよりも外部側に突出するネジと、を備え、
前記ネジの頭部側にネジ部よりも大径の大径部が設けられ、
前記筐体の主面に前記大径部が嵌る大径段下げ部が設けられ、
前記一方のユニットの嵌め合い部は、前記ネジの頭部の外部側に突出する部分を含んで構成されている、
電子機器。
【請求項４】
前記カバーの前記貫通孔と前記大径部との間にリング状の弾性部材が設けられている、
請求項３に記載の電子機器。
【請求項５】
前記第２のユニットに、前記ヒンジを介して、前記第１のユニットを着脱可能なホルダが連結され、
前記ヒンジは、前記第１のユニットと、前記ホルダに装着された前記第２のユニットとを相対回転可能に支持する、
請求項３または４に記載の電子機器。
【請求項６】
前記ホルダは、前記閉じられた状態において、前記第２のユニットの前記第２の主面と対向する第３の主面を有し、
前記第２のユニットの前記第２の主面及び前記ホルダの前記第３の主面に、前記閉じられた状態において互いに嵌合する第２の嵌め合い部が設けられている、
請求項５に記載の電子機器。
【請求項７】
前記ホルダは、前記閉じられた状態において、前記第２のユニットの前記第２の主面と対向する第３の主面を有し、
前記第２のユニットの前記第２の主面に、前記閉じられた状態で、前記ホルダの支持端部よりも前記ヒンジのヒンジ軸から離れた側の近接位置で突出する突起が設けられている、
請求項５に記載の電子機器。
【発明の詳細な説明】
【技術分野】
【０００１】
本開示は、ヒンジを介して連結された第１のユニット及び第２のユニットを有する電子機器に関する。
【背景技術】
【０００２】
特許文献１は、ヒンジを介して連結された本体部と表示部とを有する電子機器を開示している。
【先行技術文献】
【特許文献】
【０００３】
【特許文献１】特開平５−１８９０８４号公報
【発明の概要】
【０００４】
本開示は、落下時等の衝撃に対する耐性を向上させた電子機器を提供する。
【０００５】
本開示の第１の態様の電子機器は、電子部品を収容する金属製の筐体と、筐体の主面の少なくとも一部を外部側から覆う樹脂製のカバーと、カバーに設けられた貫通孔を介して筐体に螺合され、頭部がカバーよりも外部側に突出するネジと、を備える。
【０００６】
ネジの頭部側にネジ部よりも大径の大径部が設けられている。
【０００７】
筐体の主面に大径部が嵌る大径段下げ部が設けられている。
【０００８】
本開示の第２の態様の電子機器は、第１の電子部品を含み、第１の主面を有する第１のユニットと、第２の電子部品を含み、第２の主面を有する第２のユニットと、第１のユニットと第２のユニットとを相対回転可能に支持するヒンジとを備える。
【０００９】
第１のユニットと第２のユニットとを相対回転させることで、第１のユニットの第１の主面と第２のユニットの第２の主面とが対向する閉じられた状態とすることが可能である。
【００１０】
第１のユニットの第１の主面及び第２のユニットの第２の主面に、閉じられた状態において互いに嵌合する嵌め合い部が設けられている。
【００１１】
第１のユニットと第２のユニットとのうちの一方のユニットは、金属製の筐体と、筐体の主面の少なくとも一部を外部側から覆う樹脂製のカバーと、カバーに設けられた貫通孔を介して筐体に螺合され、頭部がカバーよりも外部側に突出するネジと、を備える。
【００１２】
ネジの頭部側にネジ部よりも大径の大径部が設けられている。
【００１３】
筐体の主面に大径部が嵌る大径段下げ部が設けられている。
【００１４】
一方のユニットの嵌め合い部は、ネジの頭部の外部側に突出する部分を含んで構成されている。
【００１５】
本開示の技術により、落下時等の衝撃に対する耐性を向上させた電子機器を提供できる。
【図面の簡単な説明】
【００１６】
【図１】図１は、実施の形態１におけるコンピュータの斜視図であって、タブレットユニットを開いた状態で示した図である。
【図２】図２は、コンピュータの斜視図であって、タブレットユニットを取り外した状態で示した図である。
【図３】図３は、コンピュータの斜視図であって、タブレットユニットを閉じた状態で示した図である。
【図４】図４は、キーボードユニットの斜視図である。
【図５】図５は、キーボードユニットの斜視図であって、ホルダを取り外した状態で示した図である。
【図６】図６は、コンピュータの平面図であって、タブレットユニットを閉じた状態で示した図である。
【図７】図７は、図６のＡ−Ａ断面図である。
【図８】図８は、図６のＢ−Ｂ断面図である。
【図９Ａ】図９Ａは、図６のＣ−Ｃ断面図であって、キーボードユニットの断面を示した図である。
【図９Ｂ】図９Ｂは、図６のＣ−Ｃ断面図であって、タブレットユニットの断面を示した図である。
【図９Ｃ】図９Ｃは、図６のＣ−Ｃ断面図であって、タブレットユニットがキーボードユニット上に閉じられた状態を示した図である。
【図１０Ａ】図１０Ａは、タブレットユニット側嵌め合い部部分の拡大斜視図であって、タブレットユニット側嵌め合い部を左下側から見た状態で示した図である。
【図１０Ｂ】図１０Ｂは、タブレットユニット側嵌め合い部の分解斜視図である。
【図１１】図１１は、タブレットユニット側嵌め合い部部分の拡大斜視図であって、タブレットユニット側嵌め合い部を右上側から見た状態で示した図である。
【図１２】図１２は、タブレットユニット側嵌め合い部部分の断面図である。
【発明を実施するための形態】
【００１７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、発明者は、当業者が本開示を十分に理解するために添付図面および以下の説明を提供するのであって、これらによって特許請求の範囲に記載の主題を限定することを意図するものではない。
【００１９】
（実施の形態１）
以下、図面を参照して実施の形態１を説明する。
【００２０】
［１．構成］
［１−１．概要］
図１、図２、図３は、実施の形態１におけるコンピュータ１の斜視図である。図１は、タブレットユニット１００がキーボードユニット２００に装着された状態を示す。図２は、タブレットユニット１００がキーボードユニット２００から取り外された状態を示す。図３は、タブレットユニット１００を閉じた状態を示す。なお、図面において適宜、説明及び理解の容易のため、方向表示を付している。この方向表示は、コンピュータ１が一般的な利用態様で利用されるときの利用者から見たときの方向を基準として付しているが、この方向でコンピュータ１が使用や配置されるべきことを意味するものではない。図１、図２において、左右方向は、タブレットユニット１００及びキーボードユニット２００の装置幅方向に対応する。また、上下方向は、タブレットユニット１００の装置奥行き方向にほぼ対応するとともに、キーボードユニット２００の装置厚み方向に対応する。また、前後方向は、タブレットユニット１００の装置厚み方向にほぼ対応するとともに、キーボードユニット２００の装置奥行き方向に対応する。
【００２１】
コンピュータ１は、タブレットユニット１００と、キーボードユニット２００とを有する。コンピュータ１は、電子機器の一例である。タブレットユニット１００は、電子機器及び第１のユニットの一例である。キーボードユニット２００は、第２のユニットの一例である。
【００２２】
タブレットユニット１００は、前面１００ａ（第１の主面）に、表示部１０１を有している。表示部１０１は、例えば液晶表示パネルで構成される。また、表示部１０１は、ユーザのタッチ操作を受付可能なタッチパネルを有する。タブレットユニット１００の内部には、中央演算処理装置（ＣＰＵ）、揮発性記憶装置（ＲＡＭ）、不揮発性記憶装置（ＲＯＭ、ＳＳＤ等）、通信モジュール等の種々の電子部品が収容されている。これらの電子部品は、第１の電子部品の一例である。また、タブレットユニット１００の内部には、これらの電子部品に電力を供給する着脱可能なバッテリが収容されている。タブレットユニット１００の後面１００ｂには、開閉可能なカバー１０５が備えられており（図３参照）、カバー１０５を開くことでバッテリを着脱できる。不揮発性記憶装置（ＲＯＭ、ＳＳＤ等）には、オペレーティングシステム（ＯＳ）、種々のアプリケーションプログラム、種々のデータ等が格納されている。中央演算処理装置（ＣＰＵ）は、ＯＳ、アプリケーションプログラム、種々のデータを読み込んで演算処理を実行することにより、コンピュータ１における種々の機能を実現する。
【００２３】
タブレットユニット１００の筐体は、例えばマグネシウム合金などの金属や樹脂により形成されている。
【００２４】
キーボードユニット２００には、ヒンジ５００を介してホルダ４００が連結されている。
【００２５】
キーボードユニット２００は、上面２００ａ（第２の主面）に、キーボード２０１、タッチパッド２０２、操作ボタン２０３等を有する。また、キーボードユニット２００は、タブレットユニット１００との間でデータを授受するためのインタフェースや、外部機器を接続するための外部機器インタフェースを有する。キーボードユニット２００の内部には、キーボードコントローラや、タッチパッドコントローラ等、種々の電子部品が収容されている。これらの電子部品は、第２の電子部品の一例である。
【００２６】
キーボードユニット２００の筐体は、例えばマグネシウム合金などの金属や樹脂により形成されている。
【００２７】
図２に示すように、ホルダ４００は、キーボードユニット２００の後側の側面２００ｒ（以下適宜「後側面２００ｒ」という）側にヒンジ５００を介して連結されている。ホルダ４００は、図１に示すように、タブレットユニット１００を装着できる。また、操作レバー４２０を操作することで、図２に示すように、タブレットユニット１００を取り外すことができる。
【００２８】
ヒンジ５００は、キーボードユニット２００の後側面２００ｒ側とホルダ４００の下側の側面４００ｄ（以下適宜「下側面４００ｄ」という）側とを連結する。ヒンジ５００により、キーボードユニット２００とホルダ４００とがコンピュータ１の装置幅方向（図１の左右方向）に平行な回転軸Ａｈを中心として相対回転可能となる。なお、これは、ヒンジ５００が、キーボードユニット２００の後側面２００ｒ側とホルダ４００に装着されたタブレットユニット１００の下側の側面１００ｄ（以下適宜「下側面１００ｄ」という）側とを連結しているということでもある。ヒンジ５００により、キーボードユニット２００とタブレットユニット１００とがコンピュータ１の幅方向に平行な回転軸Ａｈを中心として相対回転可能となる。例えば、ヒンジ５００は、図１のようにタブレットユニット１００がキーボードユニット２００に対して１００度程度の角度をなして開いた状態とすることができる。また、ヒンジ５００は、図３に示すようにタブレットユニット１００がキーボードユニット２００に対して閉じた状態とすることができる。閉じた状態は、タブレットユニット１００の前面１００ａとキーボードユニット２００の上面２００ａとが近接して対向し、ほぼ平行となる状態である。
【００２９】
ホルダ４００には、タブレットユニット１００が装着された状態において、タブレットユニット１００のコネクタ（図示せず）と接続されるコネクタ（図示せず）が設けられている。これらのコネクタを介して、タブレットユニット１００とキーボードユニット２００との間で、種々の信号や電力の授受を行うことができる。例えば、キーボードユニット２００のキーボード２０１、タッチパッド２０２、複数の操作ボタン２０３等から出力される信号をタブレットユニット１００に出力することができる。タブレットユニット１００は、これらの信号を受信し、受信した信号に基づく制御が可能である。したがって、キーボードユニット２００にタブレットユニット１００を装着することで、コンピュータ１をノートブック型コンピュータとして利用することができる。また、タブレットユニット１００単体で、タブレット型コンピュータとして利用することができる。
【００３０】
また、コンピュータ１には、タブレットユニット１００がキーボードユニット２００に対向して閉じられた状態でタブレットユニット１００をキーボードユニット２００にロックするロック機構６００が設けられている。ロック機構６００は、タブレットユニット１００の上側面１００ｕとキーボードユニット２００の前側面２００ｆとをラッチ６１０によりロックするように構成されている。
【００３１】
［１−２．コンピュータの耐衝撃構造］
図４は、キーボードユニット２００の斜視図である。図５は、キーボードユニット２００の斜視図であって、ホルダ４００を取り外した状態で示した図である。
【００３２】
図５に示すように、ヒンジ５００は、キーボードユニット２００の筐体により回転可能に支持されたヒンジ軸部材５１０と、ヒンジ軸部材５１０に固着され、ホルダ４００に固定されるブラケット５１１とを有する。キーボードユニット２００のホルダ４００にタブレットユニット１００が装着された状態でコンピュータ１が落下したような場合、ホルダ４００やヒンジ５００に変形が生じる虞がある。これは、ホルダ４００におけるヒンジ５００との連結部分やその近傍部分に、タブレットユニット１００の荷重やホルダ４００内でのタブレットユニット１００の振動による衝撃が集中するからである。本実施形態のコンピュータ１は、このような変形を抑制するための構造を有する。以下、その構造を、上記の図４、図５に加え、図６以下の図面を参照して詳しく説明する。
【００３３】
図６は、コンピュータ１の平面図であって、タブレットユニット１００を閉じた状態で示した図である。図７は、図６のＡ−Ａ断面図である。図８は、図６のＢ−Ｂ断面図である。
【００３４】
図４、図５に示すように、キーボードユニット２００の上面２００ａの後部側に、ヒンジ５００の近傍において、装置幅方向に延びるキーボードユニット側リブ状突起２１４が設けられている。キーボードユニット側リブ状突起２１４は、図７に示すように、キーボードユニット２００の筐体２１０の上面２００ａからリブ状に突出している。なお、筐体２１０は、上筐体２１０Ａと下筐体２１０Ｂとを含んで構成されている。また、図６、図７に示すように、キーボードユニット側リブ状突起２１４は、キーボードユニット２００の上面２００ａとホルダ４００の前面４００ｆとが略平行となっている状態においてホルダ４００の端部４００ｇの前端近傍に位置するように、形成されている。
【００３５】
図４に示すように、ホルダ４００は、前面４００ｆと背面４００ｒとを有する。ホルダ４００の前面４００ｆに、ヒンジ５００の近傍において、ホルダ側嵌め合い部４１２が形成されている。ホルダ側嵌め合い部４１２は、図８に示すように、ホルダ４００の前面４００ｆから突出する凸部として構成されている。ホルダ側嵌め合い部４１２は、台形状の断面形状を有する。
【００３６】
図４、図５に示すように、キーボードユニット２００の上面２００ａに、ヒンジ５００の近傍において、キーボードユニット側第２嵌め合い部２１２が形成されている。図８に示すように、キーボードユニット側第２嵌め合い部２１２は、キーボードユニット２００の上面２００ａとホルダ４００の前面４００ｆとが略平行となる状態（キーボードユニット２００が閉じられた状態）においてホルダ４００のホルダ側嵌め合い部４１２と嵌合するように、形成されている。キーボードユニット側第２嵌め合い部２１２は、ホルダ側嵌め合い部４１２に嵌合可能な凹部を有するように構成されている。キーボードユニット側第２嵌め合い部２１２は、筐体２１０に形成された凹部２１２ａと、凹部２１２ａに嵌り、ネジ（図示せず）で固定される凹形状の凹部カバー２１２ｂとを有する。
【００３７】
図９Ａは、図６のＣ−Ｃ断面図であって、キーボードユニット２００の断面を示した図である。図９Ｂは、図６のＣ−Ｃ断面図であって、タブレットユニット１００の断面を示した図である。図９Ｃは、図６のＣ−Ｃ断面図であって、タブレットユニット１００がキーボードユニット２００上に閉じられた状態を示した図である。
【００３８】
本実施形態では、図１に示すように、タブレットユニット１００の前面１００ａに、上側面１００ｕの近傍において、左右のタブレットユニット側嵌め合い部１５０Ｆが設けられている。タブレットユニット側嵌め合い部１５０Ｆは、正面視で円形状を有する。なお、本実施形態では、タブレットユニット１００を裏返した状態（タブレットユニット１００の後面１００ｂが前を向く状態）で、タブレットユニット１００をホルダ４００に装着可能に構成されている。そのため、図３、図９Ｂに示すように、タブレットユニット１００の後面１００ｂにもタブレットユニット側嵌め合い部１５０Ｒが設けられている。タブレットユニット側嵌め合い部１５０Ｆと１５０Ｒは、基本的に同じ構造を有している。そのため、以下ではタブレットユニット側嵌め合い部１５０Ｆについて代表して説明するとともに、適宜、「タブレットユニット側嵌め合い部１５０」という。
【００３９】
また、図１、図４、図５に示すように、キーボードユニット２００の上面２００ａに、キーボードユニット側第１嵌め合い部２５０が形成されている。図６、図９Ｃに示すように、キーボードユニット側第１嵌め合い部２５０は、キーボードユニット２００の上面２００ａとタブレットユニット１００の前面１００ａとが略平行となる状態（キーボードユニット２００が閉じられた状態）においてタブレットユニット１００のタブレットユニット側嵌め合い部１５０と嵌合するように、形成されている。キーボードユニット側第１嵌め合い部２５０は、正面視で円形状に形成されている。
【００４０】
図９Ａに示すように、キーボードユニット側第１嵌め合い部２５０は、ネジ２６０と、突出部２１０ｈと、ネジ孔２１０ｓと、段下げ部２１０ｉとを有する。突出部２１０ｈは、筐体２１０の上面２００ａから突出する。ネジ孔２１０ｓは、突出部２１０ｈを装置厚み方向に貫通する。ネジ２６０のネジ部２６０ｂがネジ孔２１０ｓに螺合される。段下げ部２１０ｉは、ネジ孔２１０ｓの上部に設けられ、ネジ２６０の頭部２６０ａが嵌められる。ネジ２６０の頭部２６０ａの上面には、凹部２６０ｃが設けられている。
【００４１】
図１０Ａは、タブレットユニット１００の右側部側のタブレットユニット側嵌め合い部１５０Ｆ（１５０）部分の拡大斜視図であって、タブレットユニット側嵌め合い部１５０を左下側から見た状態で示した図である。図１０Ｂは、同じタブレットユニット側嵌め合い部１５０部分の構成部材を分解して示した図である。
【００４２】
図１０Ａおよび図１０Ｂに示すように、タブレットユニット１００の右側部は、側部カバー１２０で覆われている。タブレットユニット側嵌め合い部１５０は、ネジ１４０と、ネジ受け部材１３０とを有する。
【００４３】
側部カバー１２０の前面部１２０ｆ及び後面部１２０ｒの角部にはそれぞれ、ネジ受け部材１３０が配置される貫通孔１２０ａが設けられている。側部カバー１２０は、樹脂製である。
【００４４】
ネジ受け部材１３０は、リング状の部材であり、ネジ１４０が挿通される貫通孔１３０ａが設けられている。ネジ受け部材１３０は、エラストマで形成されている。
【００４５】
図９Ｂに示すように、ネジ受け部材１３０は、側部カバー１２０の貫通孔１２０ａに嵌められる。ネジ１４０は、ネジ受け部材１３０の貫通孔１３０ａを介して、タブレットユニット１００の筐体１１０のネジ孔１１０ｓに螺合される。なお、筐体１１０は、前筐体１１０Ａと後筐体１１０Ｂとを含んで構成されている。
【００４６】
筐体１１０のネジ孔１１０ｓの前面１００ａ側には、前面１００ａ側から段下げされ、ネジ孔１１０ｓよりも大きい直径を有する大径段下げ部１１０ｔが設けられている。また、ネジ１４０の頭部１４０ａ側には、ネジ部１４０ｂよりも大きい直径を有する大径部１４０ｃが設けられている。すなわち、ネジ１４０は、頭部１４０ａと、ネジ部１４０ｂと、頭部１４０ａおよびネジ部１４０ｂの間にある大径部１４０ｃとを有する。そして、ネジ１４０の大径部１４０ｃが、筐体１１０の大径段下げ部１１０ｔ及びネジ受け部材１３０の貫通孔１３０ａに嵌っている。
【００４７】
図９Ｃに示すように、タブレットユニット１００がキーボードユニット２００上に閉じられると、タブレットユニット１００のタブレットユニット側嵌め合い部１５０が、キーボードユニット２００のキーボードユニット側第１嵌め合い部２５０に嵌まる。このとき、タブレットユニット側嵌め合い部１５０のネジ１４０の頭部１４０ａが、キーボードユニット側第１嵌め合い部２５０のネジ２６０の頭部２６０ａの凹部２６０ｃに嵌る。また、ネジ受け部材１３０の大径リング部１３０ｂが、キーボードユニット側第１嵌め合い部２５０の突出部２１０ｈの上面２１０ｋに当接する。
【００４８】
図１１、図１２を参照して、ネジ１４０を上記のような構造とした理由について説明する。図１１は、タブレットユニット側嵌め合い部１５０Ｆ（１５０）が設けられている部分の拡大斜視図であって、タブレットユニット側嵌め合い部１５０を右上側から見た状態で示した図である。図１２は、タブレットユニット側嵌め合い部１５０部分の断面図である。
【００４９】
図１１に示すように、タブレットユニット１００の右上部分には、タブレットユニット側嵌め合い部１５０Ｆ（１５０）に加えて、電源コネクタの用の蓋１６０が設けられている。蓋１６０の内方に、図１２に示すように、電源コネクタ１７０が収容されている。タブレットユニット１００では、収容される他の種々の部品とのレイアウトの関係で、電源コネクタ１７０の配置位置をネジ１４０の近傍とするしかなかった。このような場合において、他の部品との干渉をなくすために、図９Ｃに仮想線で示すようにネジ１４０を単に細くすると、ネジ１４０の強度が不足する虞がある。例えば、側方から一定以上の強い衝撃力Ｆｉを受けて、キーボードユニット２００とタブレットユニット１００とが相対的に装置幅方向に変位する。このときに、キーボードユニット２００のネジ２６０の頭部２６０ａからタブレットユニット１００のネジ１４０の頭部１４０ａに衝撃力Ｆｉが伝達される。この衝撃力Ｆｉにより、タブレットユニット１００のネジ１４０のネジ部１４０ｂが曲がったり、せん断したりする虞がある。
【００５０】
これを避けるために、本実施形態では、タブレットユニット側嵌め合い部１５０のネジ１４０は、その頭部１４０ａ側に、ネジ部１４０ｂよりも大きい直径を有する大径部１４０ｃを有する。さらに、ネジ１４０の大径部１４０ｃは、筐体１１０の大径段下げ部１１０ｔに嵌まる。したがって、ネジ１４０の頭部１４０ａに伝達された衝撃力Ｆｉを、筐体１１０の大径段下げ部１１０ｔが受けることができる。これにより、ネジ１４０の曲がりやせん断を抑制できる。
【００５１】
また、側部カバー１２０の貫通孔１２０ａと大径部１４０ｃとの間にエラストマ製のリング状のネジ受け部材１３０（弾性部材）が設けられている。これにより、側部カバー１２０側からネジ１４０に加わる衝撃を抑制するようにした。そのため、ネジ１４０の曲がりやせん断を一層抑制できる。
【００５２】
［１−３．作用］
一例として、キーボードユニット２００のホルダ４００にタブレットユニット１００が装着され、かつタブレットユニット１００とキーボードユニット２００とが閉じられているときに、例えばヒンジ５００側が下になった状態でコンピュータ１が落下した場合について説明する。
【００５３】
タブレットユニット１００がホルダ４００に装着された状態でキーボードユニット２００上に閉じられている状態では、図６で説明したように、ヒンジ５００の両側にそれぞれ配置されたキーボードユニット側第２嵌め合い部２１２とホルダ側嵌め合い部４１２とが嵌合している。そのため、この状態でコンピュータ１が落下したような場合、タブレットユニット１００の荷重やホルダ４００内でのタブレットユニット１００の振動による衝撃は、ホルダ側嵌め合い部４１２からキーボードユニット側第２嵌め合い部２１２を介してキーボードユニット２００に分散される。そのため、ホルダ４００におけるヒンジ５００への連結部分やその近傍部分に加わる衝撃が少なくなる。よって、衝撃によるホルダ４００やヒンジ５００の変形を抑制できる。
【００５４】
また、上記のように閉じられた状態では、図７で説明したように、キーボードユニット側リブ状突起２１４が、ホルダ４００の端部４００ｇの近傍前方に位置している。そのため、ホルダ４００がキーボードユニット２００に対して前方に変位しようとしても、ホルダ４００の端部４００ｇがキーボードユニット側リブ状突起２１４に当接することで規制される。そのため、ホルダ４００におけるヒンジ５００への連結部分やその近傍部分に加わる衝撃が一層少なくなる。よって、衝撃によるホルダ４００やヒンジ５００の変形をより一層抑制できる。
【００５５】
さらに、上記のように閉じられた状態では、図９Ｃで説明したように、タブレットユニット側嵌め合い部１５０とキーボードユニット側第１嵌め合い部２５０とが嵌合している。そのため、上記の衝撃は、タブレットユニット側嵌め合い部１５０とキーボードユニット側第１嵌め合い部２５０とを介してキーボードユニット２００に分散される。そのため、ホルダ４００におけるヒンジ５００への連結部分やその近傍部分に加わる衝撃がより一層少なくなる。よって、衝撃によるホルダ４００やヒンジ５００の変形をより一層抑制できる。
【００５６】
また、図６に示されているように、キーボードユニット２００の上面の４隅近傍のそれぞれにおいて上記嵌め合い構造が構成される。そのため、キーボードユニット２００とタブレットユニット１００とが、上面に垂直な軸を中心として相対回転しようとすることが抑制される。これにより、ホルダ４００及びヒンジ５００に加わる捻り力も抑制され、ホルダ４００やヒンジ５００の変形をより一層抑制できる。
【００５７】
さらに、上述したように、タブレットユニット側嵌め合い部１５０のネジ１４０の曲がりやせん断を抑制しつつ、上記の効果を得ることができる。
【００５８】
［２．効果等］
本実施の形態のタブレットユニット１００（電子機器の一例）は、電子部品を収容するマグネシウム合金製（金属製の一例）の筐体１１０と、筐体１１０の前面１００ａ（主面）の少なくとも一部を外部側から覆う樹脂製の側部カバー１２０（カバー）と、側部カバー１２０（カバー）に設けられた貫通孔１２０ａを介して筐体１１０に螺合され、頭部１４０ａが側部カバー１２０よりも外部側に突出するネジ１４０と、を備える。
【００５９】
ネジ１４０の頭部１４０ａ側にネジ部１４０ｂよりも大径の大径部１４０ｃが設けられている。
【００６０】
筐体１１０の前面１００ａ（主面）に大径部１４０ｃが嵌る大径段下げ部１１０ｔが設けられている。
【００６１】
これにより、落下時等の衝撃に対する耐性を向上させることができる。
【００６２】
本実施の形態のコンピュータ１（電子機器の一例）は、第１の電子部品を含み、前面１００ａ（第１の主面）を有するタブレットユニット１００（第１のユニットの一例）と、第２の電子部品を含み、上面２００ａ（第２の主面）を有するキーボードユニット２００（第２のユニットの一例）と、タブレットユニット１００とキーボードユニット２００とを相対回転可能に支持するヒンジ５００とを備える。
【００６３】
タブレットユニット１００とキーボードユニット２００とを相対回転させることで、タブレットユニット１００の前面１００ａ（第１の主面）とキーボードユニット２００の上面２００ａ（第２の主面）とが対向する閉じられた状態とすることが可能である。
【００６４】
タブレットユニット１００の前面１００ａ（第１の主面）及びキーボードユニット２００の上面２００ａ（第２の主面）に、閉じられた状態において互いに嵌合するタブレットユニット側嵌め合い部１５０及びキーボードユニット側第１嵌め合い部２５０（嵌め合い部）が設けられている。
【００６５】
タブレットユニット１００とキーボードユニット２００とのうちのタブレットユニット１００（一方のユニット）は、マグネシウム合金製（金属製の一例）の筐体１１０と、筐体１１０の前面１００ａ（主面）の少なくとも一部を外部側から覆う樹脂製の側部カバー１２０（カバー）と、側部カバー１２０に設けられた貫通孔１２０ａを介して筐体１１０に螺合され、頭部１４０ａが側部カバー１２０よりも外部側に突出するネジ１４０と、を備える。
【００６６】
ネジ１４０の頭部１４０ａ側にネジ部１４０ｂよりも大径の大径部１４０ｃが設けられている。
【００６７】
筐体１１０の前面１００ａ（主面）に大径部１４０ｃが嵌る大径段下げ部１１０ｔが設けられている。
【００６８】
タブレットユニット１００のタブレットユニット側嵌め合い部１５０（一方のユニットの嵌め合い部）は、ネジ１４０の頭部１４０ａの外部側に突出する部分を含んで構成されている。
【００６９】
これにより、落下時等の衝撃に対する耐性を向上させた電子機器を提供できる。
【００７０】
本実施の形態の電子機器において、側部カバー１２０の貫通孔１２０ａと大径部１４０ｃとの間にリング状のネジ受け部材１３０（弾性部材）が設けられている。
【００７１】
これにより、側部カバー１２０からネジ１４０に加わる衝撃を抑制できる。そのため、落下時等の衝撃に対する耐性を一層向上させることができる。
【００７２】
本実施の形態の電子機器において、キーボードユニット２００に、ヒンジ５００を介して、タブレットユニット１００を着脱可能なホルダ４００が連結されている。
【００７３】
ヒンジ５００は、タブレットユニット１００と、ホルダ４００に装着されたキーボードユニット２００とを相対回転可能に支持する。
【００７４】
これにより、タブレットユニット１００を着脱可能な電子機器において前述の効果が得られる。タブレットユニット１００を着脱可能な電子機器では、落下時等にタブレットユニット１００のホルダ４００内での振動により衝撃が大きくなりやすいが、本実施形態では、このような衝撃に対する耐性を向上できる。
【００７５】
本実施の形態の電子機器において、閉じられた状態において、キーボードユニット２００の上面２００ａ（第２の主面）とホルダ４００の前面４００ｆ（第３の主面）とが対向する。
【００７６】
キーボードユニット２００の上面２００ａ（第２の主面）及びホルダ４００の前面４００ｆ（第３の主面）に、閉じられた状態において互いに嵌合するホルダ側嵌め合い部４１２及びキーボードユニット側第２嵌め合い部２１２（第２の嵌め合い部）が設けられている。
【００７７】
これにより、落下時等の衝撃によるタブレットユニット１００とキーボードユニット２００の相対変位を抑制できる。そのため、落下時等の衝撃に対する耐性を一層向上させることができる。
【００７８】
本実施の形態の電子機器において、閉じられた状態において、キーボードユニット２００の上面２００ａ（第２の主面）とホルダ４００の前面４００ｆ（第３の主面）とが対向する。
【００７９】
キーボードユニット２００の上面２００ａ（第２の主面）に、閉じられた状態で、ホルダ４００の端部４００ｇ（支持端部）よりもヒンジ５００のヒンジ軸から離れた側の近接位置で突出するキーボードユニット側リブ状突起２１４（突起）が設けられている。
【００８０】
これにより、落下時等の衝撃によるタブレットユニット１００とキーボードユニット２００の相対変位を抑制できる。そのため、落下時等の衝撃に対する耐性を一層向上させることができる。
【００８１】
（他の実施形態）
以上のように、本開示の技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
（１）前記実施の形態では、本開示の電子機器を、タブレットユニット１００に適用した場合を例示した。また、本開示の電子機器を、タブレットユニット１００（第１のユニットの一例）とキーボードユニット２００（第２のユニットの一例）とが着脱可能に構成されたデタッチャブル型のコンピュータに適用した場合を例示した。しかし、本開示の、電子機器は、第１のユニットと第２のユニットとがヒンジにより相対回転可能に直接連結され、着脱可能でない一般的なノートブック型コンピュータにも適用可能である。
（２）前記実施の形態では、タブレットユニット１００のタブレットユニット側嵌め合い部１５０に本開示の嵌め合い部を適用した例を説明した。しかし、キーボードユニット２００の嵌め合い部に本開示の嵌め合い部を適用してもよい。
（３）前記実施の形態では、タブレットユニット１００の筐体１１０及びキーボードユニット２００の筐体２１０では、マグネシウム合金などの金属や樹脂により形成されている。しかし、金属としては、衝撃等に対する一定の強度を有するものであれば、マグネシウム合金以外の金属であってもよい。
【００８２】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００８３】
本開示は、第１のユニットを第２のユニットにロックするロック機構を有する電子機器において広く利用可能である。
【符号の説明】
【００８４】
１  コンピュータ
１００  タブレットユニット
１００ａ  前面
１００ｂ  後面
１００ｄ  下側面
１００ｕ  上側面
１０１  表示部
１０５  カバー
１１０  筐体
１１０Ａ  前筐体
１１０Ｂ  後筐体
１１０ｒ  ネジボス
１１０ｓ  ネジ孔
１１０ｔ  大径段下げ部
１２０  側部カバー
１２０ａ  貫通孔
１２０ｆ  前面部
１２０ｒ  後面部
１３０  ネジ受け部材
１３０ａ  貫通孔
１３０ｂ  大径リング部
１４０  ネジ
１４０ａ  頭部
１４０ｂ  ネジ部
１４０ｃ  大径部
１５０  タブレットユニット側嵌め合い部
１６０  蓋
１７０  電源コネクタ
２００  キーボードユニット
２００ａ  上面
２００ｆ  前側面
２００ｒ  後側面
２０１  キーボード
２０２  タッチパッド
２０３  操作ボタン
２１０  筐体
２１０Ａ  上筐体
２１０Ｂ  下筐体
２１０ｈ  突出部
２１０ｉ  段下げ部
２１０ｋ  上面
２１０ｓ  ネジ孔
２１２  キーボードユニット側第２嵌め合い部
２１２ａ  凹部
２１２ｂ  凹部カバー
２１４  キーボードユニット側リブ状突起
２２０  側面カバー
２５０  キーボードユニット側第１嵌め合い部
２６０  ネジ
２６０ａ  頭部
２６０ｂ  ネジ部
２６０ｃ  凹部
４００  ホルダ
４００ｆ  前面
４００ｄ  下側面
４００ｇ  端部
４１２  ホルダ側嵌め合い部
４２０  操作レバー
５００  ヒンジ
５１０  ヒンジ軸部材
５１１  ブラケット
６００  ロック機構
６１０  ラッチ
Ａｒ  ラッチの回転軸
Ａｈ  ヒンジの回転軸
【図１】
2018155222.tif 000003
【図２】
2018155222.tif 000004
【図３】
2018155222.tif 000005
【図４】
2018155222.tif 000006
【図５】
2018155222.tif 000007
【図６】
2018155222.tif 000008
【図７】
2018155222.tif 000009
【図８】
2018155222.tif 000010
【図９Ａ】
2018155222.tif 000011
【図９Ｂ】
2018155222.tif 000012
【図９Ｃ】
2018155222.tif 000013
【図１０Ａ】
2018155222.tif 000014
【図１０Ｂ】
2018155222.tif 000015
【図１１】
2018155222.tif 000016
【図１２】
2018155222.tif 000017
【国際調査報告】
2018155222.tif 000018
2018155222.tif 000019
2018155222.tif 000020
2018155222.tif 000021